(57)【要約】【課題】  １層構造のカーテンを備えて、外殻内に照射される日射量を所望の状態に設定することができる農業用ハウスを提供する。【解決手段】  農業用ハウス１において、カーテン２０（第１カーテン２１、第２カーテン２２）と、遮光調整機構６１，６２とを備える。遮光調整機構６１，６２は、カーテン２０による遮光率を調整する。そして、カーテン２０は、開閉方向Ｘ３，Ｘ４に交差する方向に沿ったプリーツ２０１を形成されている。そして、遮光調整機構６１，６２は、カーテン２０におけるプリーツ２０１の粗密度の分布を、粗密度の分布が互いに異なる複数の状態のいずれかの状態に選択的に設定する。【選択図】図１
2018198579.tif 000002
【特許請求の範囲】
【請求項１】
屋根が透光性の部材で覆われている外殻と、前記屋根を通過して前記外殻内に入射した光を遮光するカーテンと、前記カーテンの移動端が開閉方向に移動自在になるように前記カーテンを支持する支持部材と、前記カーテンによる遮光率を調整する遮光調整機構とを備え、
前記カーテンは、前記開閉方向に交差する方向に沿ったひだを形成可能であり、
前記カーテンの前記開閉方向の全長は、前記移動端が前記開閉方向に沿って移動できる最大移動距離より長く、
前記遮光調整機構は、前記カーテンにおける前記ひだの粗密度の分布を、前記粗密度の分布が互いに異なる複数の状態のいずれかの状態に選択的に設定する
ことを特徴とする農業用ハウス。
【請求項２】
前記カーテンが展開される場合に前記移動端が前記開閉方向に沿って移動する方向を閉方向とし、
前記遮光調整機構は、
前記カーテンの所定部位が前記閉方向に移動することを規制することで、前記ひだの粗密度が互いに異なる複数の領域を前記カーテンに形成する規制状態と、
前記規制状態を解除した解除状態と、
を切替可能に構成されている
ことを特徴とする請求項１記載の農業用ハウス。
【請求項３】
前記カーテンの前記所定部位は、前記閉方向に沿って２か所以上あることを特徴とする請求項２記載の農業用ハウス。
【請求項４】
前記遮光調整機構は、
前記カーテンの前記所定部位に設けた第１係止部と、一定位置に固定された第２係止部とを備え、
前記移動端が前記閉方向に移動した場合に、前記第１係止部が前記第２係止部に係止することで前記規制状態になる
ことを特徴とする請求項２または３記載の農業用ハウス。
【請求項５】
前記第２係止部の固定位置を、前記開閉方向に沿って変えることができることを特徴とする請求項４記載の農業用ハウス。
【請求項６】
前記遮光調整機構は、前記開閉方向に交差する方向に延びた規制部材を備えており、前記規制部材が前記カーテンの前記所定部位に当たることで、前記規制状態になることを特徴とする請求項２または３記載の農業用ハウス。
【請求項７】
前記支持部材は、
前記カーテンに設けられて、前記開閉方向に対して交差する方向を軸方向として回転する複数のローラと、
前記開閉方向に沿って延設されて、前記複数のローラのガイドになるガイド部材と、を備え、
前記遮光調整機構は、前記複数のローラのうち、前記カーテンの所定部位に対応するローラに当たって、当該ローラが前記閉方向に移動することを規制する規制部材を有する
ことを特徴とする請求項２または３記載の農業用ハウス。
【請求項８】
前記支持部材は、
前記カーテンに設けられて、前記開閉方向に対して交差する方向を軸方向として回転する複数のローラと、
前記開閉方向に沿って延設されて、前記複数のローラのガイドになるガイド部材と、を備え、
前記遮光調整機構は、前記複数のローラのうち、前記カーテンの所定部位に対応するローラの回転を停止させることで、前記規制状態になる
ことを特徴とする請求項２または３記載の農業用ハウス。
【請求項９】
前記外殻内の環境を表す環境情報が入力され、前記環境情報に基づいて前記カーテンの開閉制御を行うコントローラをさらに備えることを特徴とする請求項１乃至８のいずれか一項に記載の農業用ハウス。
【請求項１０】
前記コントローラは、さらに前記遮光調整機構の動作を制御することを特徴とする請求項９記載の農業用ハウス。
【発明の詳細な説明】
【技術分野】
【０００１】
本発明は、農業用ハウスに関する。
【背景技術】
【０００２】
従来、温室等の農業用ハウスがある。例えば特許文献１の温室は、屋根を通ってハウス（外殻）内に照射される日射量（光量）を調整するために、カーテンを屋根に配置している。そして、カーテン開閉制御装置によって、カーテンの開閉を制御している。
【先行技術文献】
【特許文献】
【０００３】
【特許文献１】実用新案登録第３１３４９５５号公報
【発明の概要】
【発明が解決しようとする課題】
【０００４】
上述の従来の農業用ハウスは、外殻内に照射される日射量（光量）を調整するために、２枚のカーテンを上下方向に重ねて２層構造にしている。
【０００５】
本発明の目的とするところは、１層構造のカーテンを備えて、外殻内に照射される日射量を所望の状態に設定することができる農業用ハウスを提供することにある。
【課題を解決するための手段】
【０００６】
本発明の一態様に係る農業用ハウスは、外殻と、カーテンと、支持部材と、遮光調整機構とを備える。前記外殻は、屋根が透光性の部材で覆われている。前記カーテンは、前記屋根を通過して前記外殻内に入射した光を遮光する。前記支持部材は、前記カーテンの移動端が開閉方向に移動自在になるように前記カーテンを支持する。前記遮光調整機構は、前記カーテンによる遮光率を調整する。前記カーテンは、前記開閉方向に交差する方向に沿ったひだを形成可能である。前記カーテンの前記開閉方向の全長は、前記移動端が前記開閉方向に沿って移動できる最大移動距離より長い。前記遮光調整機構は、前記カーテンにおける前記ひだの粗密度の分布を、前記粗密度の分布が互いに異なる複数の状態のいずれかの状態に選択的に設定する。
【発明の効果】
【０００７】
本発明では、１層構造のカーテンを備えて、外殻内に照射される日射量を所望の状態に設定することができるという効果がある。
【図面の簡単な説明】
【０００８】
【図１】図１は、実施形態に係る農業用ハウスの構成を示す概略の斜視図である。
【図２】図２Ａは、同上の全開状態のカーテンの示す鉛直方向の断面図である。図２Ｂは、同上の全閉状態のカーテンを示す鉛直方向の別の断面図である。
【図３】図３は、同上の第１カーテンの遮光調整機構を示す図である。
【図４】図４は、同上の第２カーテンの遮光調整機構を示す図である。
【図５】図５は、同上の規制状態の遮光調整機構を示す鉛直方向の断面図である。
【図６】図６Ａは、同上の第１変形例における解除状態の遮光調整機構を示す図である。図６Ｂは、同上の第１変形例における規制状態の遮光調整機構を示す図である。
【図７】図７Ａは、同上の第１変形例における解除状態の遮光調整機構を示す図である。図７Ｂは、同上の第１変形例における規制状態の遮光調整機構を示す図である。
【図８】図８は、同上の第２変形例における規制状態の遮光調整機構を示す図である。
【図９】図９は、同上の第４変形例の構成を示す図である。
【発明を実施するための形態】
【０００９】
以下の実施形態は、一般に、農業用ハウスに関する。より詳細には、入射した光を遮光するカーテンを備える農業用ハウスに関する。
【００１０】
以下に説明する各実施形態の農業用ハウスは、植物体を栽培する農業用ハウスを想定している。植物体の種類としては、光飽和点が高い植物体が特に適する。光飽和点が高い植物体とは、光合成速度が飽和する光強度が比較的高い植物体であり、トマト、スイカなどが挙げられる。但し、植物体の種類にとくに制限はなく、果菜類、豆類、果物、花卉、葉菜類などから選択可能である。葉菜類は、ホウレンソウ、コマツナ、レタス、キャベツ、ハクサイなどを代表とする。また、果菜類は、トマト、キュウリ、ナスなどを代表とする。
【００１１】
以下に説明する実施形態では、農業用ハウスの中に設けた圃場において植物体を栽培する。また、実施形態では土耕栽培を例として説明するが、防根透水シートなどを用いた隔離床栽培であっても実施形態の技術は適用可能である。
【００１２】
（実施形態）
図１に示すように、実施形態の農業用ハウス１は、構造材としてのフレーム１１と、フレーム１１に支持された被覆体１２とで構成された外殻１０を備える。
【００１３】
フレーム１１は、直径が１０［ｍｍ］以上５０［ｍｍ］以下の金属のパイプあるいは棒（線材）により形成される。フレーム１１を形成する金属には、アルミニウムまたは表面に亜鉛メッキ等の防錆処理を施した鉄が用いられる。また、フレーム１１は、並んで配置された２本の支柱部１１１と、２本の支柱部１１１それぞれの一端間を連結する連結部１１２とを一体に備える逆Ｕ字状に形成されている。連結部１１２は、滑らかな弧状に形成されている例を示しているが、２本の直線それぞれの一端を付き合わせた逆Ｖ状に形成されていてもよい。
【００１４】
被覆体１２は、透光性の部材で形成されている。被覆体１２は、透光性を有した（望ましくは透明である）合成樹脂フィルムを用いている。被覆体１２に用いる合成樹脂フィルムの厚み寸法は、０．１［ｍｍ］以上３［ｍｍ］以下が一般的であるが、この範囲から逸脱していてもよい。また、被覆体１２に用いる合成樹脂フィルムは、ポリ塩化ビニル、ポリオレフィン、フッ素樹脂などから選択される。なお、被覆体１２は、透光性を有したガラスでもよい。
【００１５】
複数のフレーム１１は、それぞれが囲む面に交差する方向に並び、被覆体１２は、複数のフレーム１１が並んだ状態で複数のフレーム１１に架設される。そして、農業用ハウス１の外殻１０は、複数のフレーム１１が並ぶことにより形成される仮想的な立体物を被覆体１２が全周にわたって覆っている。
【００１６】
農業用ハウス１は、断面半円状の屋根１００と、屋根１００を支持し互いに対向する２つの側面１０１、１０２と、２つの側面１０１、１０２に直交し互いに対向する２つの妻面１０３、１０４とを一体に備える。したがって、農業用ハウス１は、２つの妻面１０３、１０４を結ぶ方向に直交する断面において逆Ｕ字状に形成されている。２つの妻面１０３、１０４を結ぶ方向の寸法は、２つの側面１０１、１０２を結ぶ方向に比べて十分に大きい寸法に設計されている。以降、２つの妻面１０３、１０４を結ぶ方向を第１方向Ｘ１（奥行方向）といい、２つの側面１０１、１０２を結ぶ方向を第２方向Ｘ２（幅方向）という。すなわち、第１方向Ｘ１と第２方向Ｘ２とは互いに直交している。また、側面１０１を第１側面１０１、側面１０２を第２側面１０２、妻面１０３を第１妻面１０３、妻面１０４を第２妻面１０４と呼ぶ。
【００１７】
農業用ハウス１の外殻１０は、圃場４０を囲む。圃場４０には他の部位よりも盛り上がった複数の畝４１が形成されている。畝４１の長手方向は第１方向Ｘ１に沿っており、第２方向Ｘ２において、複数の畝４１が形成される。複数の畝４１のそれぞれには、植物体が植えられる。
【００１８】
そして、図１に示すように、農業用ハウス１は、外殻１０の内部に遮光用のカーテン（天井カーテン）２０を備える。カーテン２０は、第２方向Ｘ２において、圃場４０の上部を覆う全閉状態（展開状態）と、圃場４０の上部を開放する全開状態（収束状態）との間で変形する。すなわち、カーテン２０の全閉状態とは、外殻１０内において屋根１００に対向するようにカーテン２０が引き出された状態である。そして、全閉状態のカーテン２０は、屋根１００を通過して外殻１０内に入射した光を遮光する。また、カーテン２０の全開状態とは、カーテン２０が収束された状態であり、外殻１０内において屋根１００の内面が下方から見て露出している。そして、全開状態のカーテン２０は、屋根１００を通過して外殻１０内に入射した光を遮光しない。なお、カーテン２０による遮光は、カーテン２０を光が透過した場合に、透過後の光量が透過前の光量より減少している減光状態を意味する。
【００１９】
カーテン２０は、一例として、合成樹脂（例えばポリオレフィン）のフィルムあるいは網、または表面にアルミ箔を形成した合成樹脂のフィルムあるいは網であって、太陽光を減衰させる遮光機能を有する。例えばJIS L1055:2009に準拠したカーテンの遮光性試験方法を採用した場合、カーテン２０自体の遮光率（代表値）は、２０％以上４０％以下に設定されることが好ましい。なお、この遮光率の具体的な値は、特定の値に限定されないが、遮光率が比較的低いカーテン２０であってもよい。
【００２０】
カーテン２０は、複数のプリーツ２０１（ひだ）が第２方向Ｘ２に並ぶ蛇腹形状に形成されている。複数のプリーツ２０１のそれぞれは、第１方向Ｘ１（後述の開閉方向Ｘ３，Ｘ４に交差する方向）に沿って延びている。そして、カーテン２０が撓むとプリーツ２０１が変形し、この結果、カーテン２０の遮光率が変化する。具体的に、プリーツ２０１の幅が短くなるようにカーテン２０が圧縮された場合、プリーツ２０１が重なることによるカーテン２０の厚みの増大、及びプリーツ２０１の上面における反射光の増加によって、遮光率が高くなる。また、プリーツ２０１の幅が長くなるようにカーテン２０が広げられた場合、カーテン２０の厚みの減少、及びプリーツ２０１の上面における反射光の減少によって、遮光率が低くなる。
【００２１】
カーテン２０は、第１カーテン２１及び第２カーテン２２で構成されており、第１カーテン２１と第２カーテン２２とが第２方向Ｘ２に並んで配置された１層構造である。第１カーテン２１及び第２カーテン２２のそれぞれは、互いに独立して、全閉状態と全開状態との間で変形可能に構成されている。
【００２２】
第１カーテン２１の固定端２１ａ（一端）は、第１側面１０１の上端（または上端付近）に固定されている。そして、図２Ａに示すように、全開状態の第１カーテン２１は、第１側面１０１の上端付近に寄せられている。すなわち、全開状態の第１カーテン２１は、多数のプリーツ２０１が折り畳まれた状態で第１側面１０１の上端付近に収束している。そして、第１カーテン２１は、固定されていない移動端２１ｂ（他端）が屋根１００の頂点の下方に向かう閉方向Ｘ３１に引っ張られることで、複数のプリーツ２０１がそれぞれ徐々に広がりながら、屋根１００の下面側を徐々に覆っていく。第１カーテン２１の移動端２１ｂが閉方向Ｘ３１にさらに引っ張られると、移動端２１ｂが屋根１００の頂点の下方に達して、図２Ｂに示すように、屋根１００の半分（第１側面１０１側）を下方から覆う全閉状態となる。また、屋根１００の頂点の下方から第１側面１０１の上端側に向かう開方向Ｘ３２の力が移動端２１ｂに加わることで、プリーツ２０１が徐々に折り畳まれながら移動端２１ｂが開方向Ｘ３２へ移動して、屋根１００の下面側が徐々に露出する。そして、移動端２１ｂが第１側面１０１の上端付近に達すると、第１カーテン２１は、第１側面１０１の上端付近に寄せられた状態で収束し、全開状態になる（図２Ａ参照）。なお、閉方向Ｘ３１と開方向Ｘ３２とは互いに逆向きであり、閉方向Ｘ３１と開方向Ｘ３２との両方を併せて開閉方向Ｘ３と呼ぶ。
【００２３】
第２カーテン２２の固定端２２ａ（一端）は、第２側面１０２の上端（または上端付近）に固定されている。そして、図２Ａに示すように、全開状態の第２カーテン２２は、第２側面１０２の上端付近に寄せられている。すなわち、全開状態の第２カーテン２２は、多数のプリーツ２０１が折り畳まれた状態で第２側面１０２の上端付近に収束している。そして、第２カーテン２２は、固定されていない移動端２２ｂ（他端）が屋根１００の頂点の下方に向かう閉方向Ｘ４１に引っ張られることで、複数のプリーツ２０１がそれぞれ徐々に広がりながら、屋根１００の下面側を徐々に覆っていく。第２カーテン２２の移動端２２ｂが閉方向Ｘ４１にさらに引っ張られると、移動端２２ｂが屋根１００の頂点の下方に達して、図２Ｂに示すように、屋根１００の半分（第２側面１０２側）を下方から覆う全閉状態となる。また、屋根１００の頂点の下方から第２側面１０２の上端側に向かう開方向Ｘ４２の力が移動端２２ｂに加わることで、プリーツ２０１が徐々に折り畳まれながら移動端２２ｂが開方向Ｘ４２へ移動して、屋根１００の下面側が徐々に露出する。そして、移動端２２ｂが第２側面１０２の上端付近に達すると、第２カーテン２２は、第２側面１０２の上端付近に寄せられた状態で収束し、全開状態になる（図２Ａ参照）。なお、閉方向Ｘ４１と開方向Ｘ４２とは互いに逆向きであり、閉方向Ｘ４１と開方向Ｘ４２との両方を併せて開閉方向Ｘ４と呼ぶ。
【００２４】
すなわち、第１カーテン２１及び第２カーテン２２は、移動端２１ｂ，２２ｂが第１側面１０１の側、第２側面１０２の側にそれぞれ寄せられることで全開状態になる。また、第１カーテン２１及び第２カーテン２２は、移動端２１ｂ，２２ｂが屋根１００の頂点の下方にまでそれぞれ引っ張られることで全閉状態になる。
【００２５】
ここで、第１カーテン２１の全開状態と全閉状態の間で移動端２１ｂが開閉方向Ｘ３に沿って移動する移動距離が、移動端２１ｂが開閉方向Ｘ３に沿って移動できる最大移動距離になる。そして、第１カーテン２１の開閉方向Ｘ３における全長（複数のプリーツ２０１のそれぞれを最大に広げた状態）は、移動端２１ｂの最大移動距離より長くなる。したがって、全閉状態の第１カーテン２１は、全てのプリーツ２０１が最大に広がった状態にならない。
【００２６】
また、第２カーテン２２の全開状態と全閉状態の間で移動端２２ｂが開閉方向Ｘ４に沿って移動する移動距離が、移動端２２ｂが開閉方向Ｘ４に沿って移動できる最大移動距離になる。そして、第２カーテン２２の開閉方向Ｘ４における全長（複数のプリーツ２０１のそれぞれを最大に広げた状態）は、移動端２２ｂの最大移動距離より長くなる。したがって、全閉状態の第２カーテン２２は、全てのプリーツ２０１がそれぞれ最大に広がった状態にならない。
【００２７】
そして、図３に示すように、第１カーテン２１は、移動端２１ｂが開閉方向Ｘ３に移動自在となるように、支持部材２３によって支持されている。支持部材２３は、複数のローラユニット２３１と、複数のガイドロープ２３２とを備える。第１方向Ｘ１に対向する第１カーテン２１の一対の端縁、及び第１方向Ｘ１における第１カーテン２１の中央には、プリーツ２０１の谷部毎にローラユニット２３１がそれぞれ取り付けられている。ローラユニット２３１は、ローラ２３１ａと、連結部２３１ｂとを有する。ローラ２３１ａは、第１方向Ｘ１に沿った回転軸を中心にして回転する。連結部２３１ｂは、第１カーテン２１とローラ２３１ａとを連結する。連結部２３１ｂの上端は、ローラ２３１ａの回転軸に連結され、連結部２３１ｂの下端は、第１カーテン２１のプリーツ２０１の谷部（図３で上に凸になっている箇所）に連結されている。
【００２８】
ガイドロープ２３２は、第１方向Ｘ１の所定間隔を空けた３か所において、開閉方向Ｘ３に沿って架設されている。第１カーテン２１の固定端２１ａはガイドロープ２３２に固定されている。ガイドロープ２３２の上側にはローラ２３１ａが載置されている。そして、ローラ２３１ａは、ガイドロープ２３２に沿って回転しながら移動することで、開閉方向Ｘ３に沿って移動することができる。すなわち、ガイドロープ２３２は、ローラ２３１ａのガイド部材として機能する。
【００２９】
また、図４に示すように、第２カーテン２２は、移動端２２ｂが開閉方向Ｘ４に移動自在となるように、支持部材２４によって支持されている。支持部材２４は、複数のローラユニット２４１と、複数のガイドロープ２４２とを備える。第１方向Ｘ１に対向する第２カーテン２２の一対の端縁、及び第１方向Ｘ１における第２カーテン２２の中央には、プリーツ２０１の谷部毎にローラユニット２４１がそれぞれ取り付けられている。ローラユニット２４１は、ローラ２４１ａと、連結部２４１ｂとを有する。ローラ２４１ａは、第１方向Ｘ１に沿った回転軸を中心にして回転する。連結部２４１ｂは、第２カーテン２２とローラ２４１ａとを連結する。連結部２４１ｂの上端は、ローラ２４１ａの回転軸に連結され、連結部２４１ｂの下端は、第２カーテン２２に連結されている。
【００３０】
ガイドロープ２４２は、第１方向Ｘ１の所定間隔を空けた３か所において、開閉方向Ｘ４に沿って架設されている。第２カーテン２２の固定端２２ａはガイドロープ２４２に固定されている。ガイドロープ２４２の上側にはローラ２４１ａが載置されている。そして、ローラ２４１ａは、ガイドロープ２４２に沿って回転しながら移動することで、開閉方向Ｘ４に沿って移動することができる。すなわち、ガイドロープ２４２は、ローラ２４１ａのガイド部材として機能する。
【００３１】
そして、図３に示すように、第１カーテン２１は、開閉機構３１によって開閉され、第２カーテン２２は、図４に示すように、開閉機構３２によって開閉される。開閉機構３１，３２は、モータ３０ａと、駆動ロープ３０ｂと、滑車３０ｃとをそれぞれ備える。
【００３２】
モータ３０ａは、商用電源から供給される電力によって駆動され、モータの回転軸に回転力を発生させる。開閉機構３１のモータ３０ａは、第１側面１０１の上端付近に配置され、開閉機構３２のモータ３０ａは、第２側面１０２の上端付近に配置されている。開閉機構３１，３２の各滑車３０ｃは、屋根１００の頂点の下方に配置されている。
【００３３】
開閉機構３１の駆動ロープ３０ｂは、その一端側がモータ３０ａに連結し、滑車３０ｃを経由して、その他端側が第１カーテン２１の移動端２１ｂに連結している。駆動ロープ３０ｂの一端側は、モータ３０ａが巻き取り方向に回転することによって巻き取られ、駆動ロープ３０ｂは、閉方向Ｘ３１の力を第１カーテン２１の移動端２１ｂに伝達する。この結果、第１カーテン２１の移動端２１ｂが閉方向Ｘ３１へ移動する。また、駆動ロープ３０ｂの一端側は、モータ３０ａが引き出し方向に回転することによって引き出され、第１カーテン２１の移動端２１ｂは、第１カーテン２１の自重によって開方向Ｘ３２へ移動する。
【００３４】
開閉機構３２の駆動ロープ３０ｂは、その一端側がモータ３０ａに連結し、滑車３０ｃを経由して、その他端側が第２カーテン２２の移動端２２ｂに連結している。駆動ロープ３０ｂの一端側は、モータ３０ａが巻き取り方向に回転することによって巻き取られ、駆動ロープ３０ｂは、閉方向Ｘ４１の力を第２カーテン２２の移動端２２ｂに伝達する。この結果、第２カーテン２２の移動端２２ｂが閉方向Ｘ４１へ移動する。また、駆動ロープ３０ｂの一端側は、モータ３０ａが引き出し方向に回転することによって引き出され、第２カーテン２２の移動端２２ｂは、第２カーテン２２の自重によって開方向Ｘ４２へ移動する。
【００３５】
第１カーテン２１が全閉状態になった場合、第１カーテン２１は、第１側面１０１の上端から屋根１００の頂点に向かって斜め上方に延びる。また、第２カーテン２２が全閉状態になった場合、第２カーテン２２は、第２側面１０２の上端から屋根１００の頂点に向かって斜め上方に延びる。そして、第１カーテン２１の移動端２１ｂと第２カーテン２２の移動端２２ｂとは互いに近づいており、カーテン２０は、第１方向Ｘ１に沿って頂点が直線状に延びる山形形状に形成される（図１参照）。
【００３６】
農業用ハウス１は、コントローラ５０、温度センサ５１、湿度センサ５２、照度センサ５３をさらに備えている。
【００３７】
本実施形態では、外殻１０内の環境を表す環境情報として、温度、湿度、照度を用いる。温度センサ５１は、外殻１０内の温度を測定し、測定結果をコントローラ５０へ出力する。湿度センサ５２は、外殻１０内の湿度を測定し、測定結果をコントローラ５０へ出力する。照度センサ５３は、外殻１０内の照度を測定し、測定結果をコントローラ５０へ出力する。農業用ハウス１は、複数の温度センサ５１、複数の湿度センサ５２、複数の照度センサ５３をそれぞれ備えていてもよく、この場合、植物体の生育に重要な複数箇所の温度、湿度、照度が測定される。また、温度センサ５１、湿度センサ５２、照度センサ５３は、外殻１０内だけでなく、外殻１０内及び外殻１０外の両方に設置されてもよい。さらに、環境情報は、温度、湿度、照度以外の情報であってもよい。
【００３８】
コントローラ５０は、温度センサ５１、湿度センサ５２、照度センサ５３の各測定結果に基づいてモータ３０ａの回転を制御することで、第１カーテン２１及び第２カーテン２２の開閉制御（開制御及び閉制御）を行う。
【００３９】
例えば、トマトのように光飽和点が高い植物体である場合、植物体に太陽光を多く照射して、成長を促進させることが好ましい。しかしながら、太陽光の照射によって外殻１０内の温度が過度に高くなる場合には、屋根をカーテンで覆うことで外殻１０内の温度を調整する必要がある。特に、低緯度地域では太陽高度が高くなり、外殻１０内の温度が過度に高くなりやすいので、遮光率が高いカーテンで屋根を覆って、外殻１０内に照射される日射量を減らす必要がある。
【００４０】
しかし、農業用ハウスの屋根をカーテンで覆って温度を調整する場合でも、光飽和点が高い植物体に対しては、太陽光をできるだけ多く照射することが好ましい。
【００４１】
このような課題に対して、従来の農業用ハウスは、２枚のカーテンを上下方向に重ねた２層構造にしている。この結果、外殻内に照射される日射量が調整されて、外殻内に照射される日射量の確保と外殻内の温度調整とを両立させることが可能になった。しかし、従来の農業用ハウスは、２枚のカーテンを上下方向に重ねた２層構造であった。２層構造のカーテンは、例えばコストアップの要因になったり、外殻１０の上下方向の寸法が大きくなる要因になっていた。
【００４２】
そこで、本実施形態の農業用ハウス１は、遮光調整機構６１，６２を備えており、一層構造の第１カーテン２１に遮光調整機構６１を組み合わせ、一層構造の第２カーテン２２に遮光調整機構６２を組み合わせている。遮光調整機構６１は、第１カーテン２１による遮光率を調整し、遮光調整機構６２は、第２カーテン２２による遮光率を調整する。
【００４３】
具体的に、遮光調整機構６１，６２は、係止バー６０ａ（第１係止部）と、ストッパ６０ｂ（第２係止部）とをそれぞれ備える。
【００４４】
係止バー６０ａは、樹脂、木、金属などのいずれか１つ以上によって棒体形状に形成されており、長手方向が第１方向Ｘ１に沿うように、第１カーテン２１及び第２カーテン２２の各下面に取り付けられている。本実施形態では、遮光調整機構６１の係止バー６０ａは、開閉方向Ｘ３に沿った第１カーテン２１の幅の中央付近に取り付けられ、遮光調整機構６２の係止バー６０ａは、開閉方向Ｘ４に沿った第２カーテン２２の幅の中央に取り付けられている。例えば、第１カーテン２１及び第２カーテン２２の各下面に筒体を設けて、係止バー６０ａがこの筒体に挿通することで、係止バー６０ａが第１カーテン２１及び第２カーテン２２に取り付けられる。第１カーテン２１に取り付けられた係止バー６０ａの両端は、第１カーテン２１の第１方向Ｘ１における両端縁から突出している。また、第２カーテン２２に取り付けられた係止バー６０ａの両端は、第２カーテン２２の第１方向Ｘ１における両端縁から突出している。
【００４５】
ストッパ６０ｂは、外殻１０の第１方向Ｘ１の両端のそれぞれにおいて着脱自在に取り付けられている。ストッパ６０ｂは、例えば外殻１０の第１方向Ｘ１の両端にそれぞれ架設されたガイドロープ２３２，及び外殻１０の第１方向Ｘ１の両端にそれぞれ架設されたガイドロープ２４２にそれぞれ取り付けられている。ガイドロープ２３２のストッパ６０ｂは、ガイドロープ２３２の任意の位置でガイドロープ２３２に固定されるように構成されている。ガイドロープ２４２のストッパ６０ｂは、ガイドロープ２４２の任意の位置でガイドロープ２４２に固定されるように構成されている。すなわち、作業者は、ガイドロープ２３２，２４２に対するストッパ６０ｂの固定位置を変えることができ、季節、時刻、天気などの１つ以上に応じてストッパ６０ｂの固定位置、及びストッパ６０ｂの有無を切り換えることができる。なお、以下の説明では、ストッパ６０ｂがガイドロープ２３２に固定されている状態を、遮光調整機構６１の規制状態と呼び、ストッパ６０ｂがガイドロープ２４２に固定されている状態を、遮光調整機構６２の規制状態と呼ぶ。また、ストッパ６０ｂがガイドロープ２３２から取り外されている状態を、遮光調整機構６１の解除状態と呼び、ストッパ６０ｂがガイドロープ２４２から取り外されている状態を、遮光調整機構６２の解除状態と呼ぶ。
【００４６】
次に、カーテン２０の開閉動作として、第１カーテン２１の開閉動作について説明する。
【００４７】
まず、第１カーテン２１が全開状態から全閉状態に移行する場合、移動端２１ｂが閉方向Ｘ３１に移動を開始する。そして、移動端２１ｂが閉方向Ｘ３１に移動するにつれて、遮光調整機構６１の係止バー６０ａも閉方向Ｘ３１に移動し、遮光調整機構６１のストッパ６０ｂに徐々に近付く。そして、閉方向Ｘ３１に移動している係止バー６０ａの両端部がストッパ６０ｂに係止した後、係止バー６０ａがストッパ６０ｂによって停止した状態で、移動端２１ｂが閉方向Ｘ３１にさらに移動して、第１カーテン２１は全閉状態になる。
【００４８】
この結果、図３及び図５に示すように、全閉状態の第１カーテン２１は、係止バー６０ａの係止箇所（所定部位）より固定端２１ａ側の領域Ａ１と係止バー６０ａの係止箇所（所定部位）より移動端２１ｂ側の領域Ａ２とが形成される。領域Ａ１の遮光率は、領域Ａ１の各プリーツ２０１の広がりの程度によって決まる。また、領域Ａ２の遮光率は、領域Ａ２の各プリーツ２０１の広がりの程度によって決まる。言い換えると、領域Ａ１の遮光率は、領域Ａ１のプリーツ２０１の粗密度によって決まり、領域Ａ２の遮光率は、領域Ａ２のプリーツ２０１の粗密度によって決まる。
【００４９】
例えば、ストッパ６０ｂが固定端２１ａに近いほど、領域Ａ１の各プリーツ２０１の広がりの程度が小さく（粗密度が密になり）、領域Ａ２の各プリーツ２０１の広がりの程度が大きくなる（粗密度が疎になる）。したがって、ストッパ６０ｂが固定端２１ａに近いほど、領域Ａ１の遮光率が高くなり、領域Ａ２の遮光率が低くなる。
【００５０】
逆に、ストッパ６０ｂが固定端２１ａから遠いほど、領域Ａ１の各プリーツ２０１の広がりの程度が大きく（粗密度が疎になり）、領域Ａ２の各プリーツ２０１の広がりの程度が小さくなる（粗密度が密になる）。したがって、ストッパ６０ｂが固定端２１ａから遠いほど、領域Ａ１の遮光率が低くなり、領域Ａ２の遮光率が高くなる。
【００５１】
したがって、遮光調整機構６１のストッパ６０ｂの固定位置を調整することによって、領域Ａ１，Ａ２それぞれのプリーツ２０１の粗密度（遮光率）を所望の状態に調整することができる。
【００５２】
また、遮光調整機構６１が解除状態になることで、図２Ｂに示すように全閉状態の第１カーテン２１の各プリーツ２０１の広がりはほぼ同じになる（粗密度がほぼ均一になる）。なお、遮光調整機構６１が解除状態である場合に全閉状態の第１カーテン２１の各プリーツ２０１の広がりをほぼ同じにするために、第１カーテン２１の材質、プリーツ２０１の弾性力、ガイドロープ２３２の傾斜角度などが適切に設定されている。すなわち、遮光調整機構６１が解除状態である場合、移動端２１ｂが閉方向Ｘ３１に向かって引っ張られると、プリーツ２０１が凸形状をある程度保ったまま閉方向Ｘ３１に移動する。
【００５３】
この結果、農業用ハウス１は、遮光調整機構６１のストッパ６０ｂの固定位置、ストッパ６０ｂの有無（規制状態、解除状態）によって、全閉状態の第１カーテン２１の粗密度の分布を、互いに異なる複数の状態からいずれかの状態に選択的に設定することができる。すなわち、農業用ハウス１は、遮光調整機構６１のストッパ６０ｂの固定位置、ストッパ６０ｂの有無（規制状態、解除状態）によって、全閉状態の第１カーテン２１による遮光率を切り替えることができる。
【００５４】
さらに、上記同様に、農業用ハウス１は、遮光調整機構６２のストッパ６０ｂの固定位置、ストッパ６０ｂの有無（規制状態、解除状態）によって、全閉状態の第２カーテン２２の粗密度の分布を、互いに異なる複数の状態からいずれかの状態に選択的に設定することができる。すなわち、農業用ハウス１は、遮光調整機構６２のストッパ６０ｂの固定位置、ストッパ６０ｂの有無（規制状態、解除状態）によって、全閉状態の第２カーテン２２による遮光率を切り替えることができる。なお、第２カーテン２２の開閉動作は、第１カーテン２１の開閉動作において、第１カーテン２１を第２カーテン２２、開閉機構３１を開閉機構３２、遮光調整機構６１を遮光調整機構６２、開閉方向Ｘ３を開閉方向Ｘ４、閉方向Ｘ３１を閉方向Ｘ４１、開方向Ｘ３２を開方向Ｘ４２に置き換えることで説明されるので、省略する。
【００５５】
なお、遮光調整機構６２が解除状態である場合に全閉状態の第２カーテン２２の各プリーツ２０１の広がりをほぼ同じにするために、第２カーテン２２の材質、プリーツ２０１の弾性力、ガイドロープ２４２の傾斜角度などが適切に設定されている。すなわち、遮光調整機構６２が解除状態である場合、移動端２２ｂが閉方向Ｘ４１に向かって引っ張られると、プリーツ２０１が凸形状をある程度保ったまま閉方向Ｘ４１に移動する。
【００５６】
例えば、図２Ａに示すように、カーテン２０が全開状態である場合、カーテン２０は外殻１０内へ照射される太陽光を殆ど遮らないので、外殻１０内に照射される日射量が多くなる。
【００５７】
また、遮光調整機構６１，６２が規制状態である場合、図５に示すように、遮光調整機構６１，６２によって全閉状態のカーテン２０に領域Ａ１，Ａ２が形成される。領域Ａ１ではプリーツ２０１が密に折り畳まれており（粗密度が密になり）、領域Ａ１の遮光率は高くなる。領域Ａ２ではプリーツ２０１が広がって伸ばされており（粗密度が疎になり）、領域Ａ２の遮光率は低くなる。この結果、図５のカーテン２０による遮光率は２０［％］−４０［％］になる。したがって、外殻１０内へ照射される太陽光はカーテン２０によって少し減光され、外殻１０内に照射される日射量が中程度になるように調整される。例えば春、秋、または夏の朝、夕方などのように、太陽光による地表面の照度が１０万［Ｌｘ］未満である場合に、カーテン２０は図５に示す状態に調整される。
【００５８】
また、遮光調整機構６１，６２が解除状態である場合、図２Ｂに示すように、全閉状態のカーテン２０のほぼ全ての領域に亘ってプリーツ２０１は少し広がった状態で折り畳まれている。この結果、図２Ｂのカーテン２０による遮光率は５０［％］−７０［％］になる。したがって、外殻１０内へ照射される太陽光はカーテン２０によって半分以下に減光され、外殻１０内に照射される日射量が少なくなるように調整される。例えば、夏の昼間などのように、太陽光による地表面の照度が非常に高い場合に、図２Ｂに示すカーテン２０の状態に調整される。
【００５９】
上述のように、農業用ハウス１は、外殻１０内に照射される日射量を１層構造のカーテン２０によって所望の状態に設定することができる。
【００６０】
なお、農業用ハウス１は、第１カーテン２１及び第２カーテン２２のそれぞれに対して、係止バー６０ａの取り付けと取り外しとを行うことができるように構成されてもよい。この場合、係止バー６０ａを取り付け状態または取り外し状態に切り換えることで、遮光調整機構６１，６２を規制状態または解除状態に切り換えることができ、全閉状態のカーテン２０による遮光率を調整することができる。
【００６１】
また、ストッパ６０ｂの固定位置が１箇所に予め決まっているのであれば、ガイドロープ２３２，２４２に沿ってストッパ６０ｂが移動可能に構成される必要はなく、ガイドロープ２３２，２４２のそれぞれの１箇所にストッパ６０ｂが予め固定されていてもよい。この場合、係止バー６０ａの取り付け状態と取り外し状態とを切り換えることで、遮光調整機構６１，６２を規制状態または解除状態に切り換えることができ、全閉状態のカーテン２０による遮光率を２段階に切り換えることができる。
【００６２】
さらに、図１に示すように、農業用ハウス１は、外殻１０に窓２５を備える。窓２５は、外殻１０の内部と外部との間で通気させる開位置と、外殻１０の内部と外部とを遮断して通気させない閉位置との間で移動可能である。窓２５は、第１側面１０１、第２側面１０２それぞれに設けられている。窓２５は、開度が調節されることにより、外殻１０の内部と外部との間で通気する際の空気の通気抵抗を調節する。第１側面１０１、第２側面１０２それぞれの窓２５は、駆動装置により独立して駆動される。駆動装置は、モータのような動力源を備え、窓２５にそれぞれ対応した駆動機構を備えている。
【００６３】
農業用ハウス１の第１妻面１０３の上側には、第１吸気用ファン７１ａ及び第２吸気用ファン７１ｂが配置されている。第１吸気用ファン７１ａは、第２方向Ｘ２における第１妻面１０３の中央付近に配置されている。第２吸気用ファン７１ｂは、第１吸気用ファン７１ａの下側に配置されている。第２吸気用ファン７１ｂの下方には、人が出入りするための入口が設けられる。なお、第１吸気用ファン７１ａ及び第２吸気用ファン７１ｂを区別しない場合、吸気用ファン７１と呼ぶ。また、第１吸気用ファン７１ａの数、及び第２吸気用ファン７１ｂの数は、それぞれ２つ以上であってもよい。
【００６４】
また、農業用ハウス１の第２妻面１０４の上側には、第１排気用ファン７２ａ及び第２排気用ファン７２ｂが配置されている。第１排気用ファン７２ａは、第２方向Ｘ２における第２妻面１０４の中央付近に配置されている。第２排気用ファン７２ｂは、第１排気用ファン７２ａの下側に配置されている。なお、第１排気用ファン７２ａ及び第２排気用ファン７２ｂを区別しない場合、排気用ファン７２と呼ぶ。また、第１排気用ファン７２ａの数、及び第２排気用ファン７２ｂの数は、それぞれ２つ以上であってもよい。
【００６５】
そして、外殻１０の内部空間１３は、閉状態のカーテン２０によって、上部空間１３ａおよび下部空間１３ｂに分割される（図１参照）。上部空間１３ａは、カーテン２０より上方の空間であり、下部空間１３ｂは、カーテン２０より下方の空間である。植物体は、下部空間１３ｂに存在する。
【００６６】
そして、第１吸気用ファン７１ａは、上部空間１３ａに面するように、第１妻面１０３に設けられている。第２吸気用ファン７１ｂは、下部空間１３ｂの上端付近に面するように、第１妻面１０３に設けられている。すなわち、第１吸気用ファン７１ａは、カーテン２０より上方に配置されており、上部空間１３ａに外気を送り込む。また、第２吸気用ファン７１ｂは、カーテン２０より下方に配置されており、下部空間１３ｂに外気を送り込む。
【００６７】
また、第１排気用ファン７２ａは、上部空間１３ａに面するように、第２妻面１０４に設けられている。第２排気用ファン７２ｂは、下部空間１３ｂの上端付近に面するように、第２妻面１０４に設けられている。すなわち、第１排気用ファン７２ａは、カーテン２０より上方に配置されており、上部空間１３ａ内の空気を外部へ排出する。また、第２排気用ファン７２ｂは、カーテン２０より下方に配置されており、下部空間１３ｂ内の空気を外部へ排出する。
【００６８】
吸気用ファン７１及び排気用ファン７２は、機械換気によって農業用ハウス１の換気を行い、農業用ハウス１の内部環境（内部温度、内部湿度など）の調節に寄与する。
【００６９】
農業用ハウス１では、カーテン２０（モータ３０ａ）だけでなく、窓２５、吸気用ファン７１、及び排気用ファン７２などの設備の動作もコントローラ５０によって制御される。すなわち、コントローラ５０は、温度センサ５１、湿度センサ５２、照度センサ５３の各測定結果に基づいて、外殻１０内の温度、湿度、照度が植物体の育成に適した値となるように、カーテン２０、窓２５、吸気用ファン７１、及び排気用ファン７２をそれぞれ制御する。この結果、農業用ハウス１内において植物体を育成する環境を整えることが可能になる。
【００７０】
次に、農業用ハウス１の第１変形例について説明する。第１変形例の農業用ハウス１では、遮光調整機構の構成が上述の遮光調整機構６１，６２と異なる。
【００７１】
図６Ａ、図６Ｂ、図７Ａ、図７Ｂは、第１変形例の遮光調整機構６１Ａを示す。遮光調整機構６１Ａは、外殻１０の第１方向Ｘ１の両端にそれぞれ設けられている。遮光調整機構６１Ａは、基部６０ｃと、バー６０ｄ（規制部材）とを備える。基部６０ｃは、外殻１０の第１方向Ｘ１の両端のフレーム１１にそれぞれ取り付けられ、バー６０ｄの一端は、基部６０ｃに取り付けられている。基部６０ｃは、バー６０ｄの一端側を回転中心として、バー６０ｄを回転可能に保持している。そして、バー６０ｄが回転することで、遮光調整機構６１Ａは、バー６０ｄの軸方向が上下方向に沿っている解除状態（図６Ａ，図７Ａ参照）と、バー６０ｄが外殻１０内に回転してバー６０ｄの軸方向が第１方向Ｘ１に沿っている規制状態（図６Ｂ，図７Ｂ参照）とを切り換えることが可能である。バー６０ｄは、開閉方向Ｘ３に交差する方向に延設された棒体であり、金属または樹脂によって形成されている。遮光調整機構６１Ａは、バー６０ｄの駆動のために、例えばモータ、電磁ソレノイド、またはエアシリンダを備えている。そして、コントローラ５０が、バー６０ｄの回転動作を制御する。
【００７２】
遮光調整機構６１Ａが解除状態である場合、図６Ａに示すように、全閉状態の第１カーテン２１の各プリーツ２０１の広がりは均一になる（粗密度が均一になる）。
【００７３】
一方、遮光調整機構６１Ａが規制状態である場合、図６Ｂに示すように、バー６０ｄは第１カーテン２１の所定部位に当たり、第１カーテン２１におけるバー６０ｄより固定端２１ａ側の領域が閉方向Ｘ３１へ移動することを規制する。この結果、全閉状態の第１カーテン２１は、バー６０ｄとの当接箇所（所定部位）より固定端２１ａ側の領域Ａ１とバー６０ｄとの当接箇所（所定部位）より移動端２１ｂ側の領域Ａ２とが形成される。領域Ａ１ではプリーツ２０１が密に折り畳まれており（粗密度が密になり）、領域Ａ１の遮光率は高くなる。領域Ａ２ではプリーツ２０１が広がって伸ばされており（粗密度が疎になり）、領域Ａ２の遮光率は低くなる。
【００７４】
バー６０ｄが当たる第１カーテン２１の箇所には、予めプリーツ２０１を形成しないようにしてもよい。この場合、バー６０ｄによる規制状態を安定させることができる。
【００７５】
コントローラ５０は、第１カーテン２１を全閉状態に制御する場合、閉制御を開始してからタイマ時間の計時を開始し、タイマ時間が経過した時点で、遮光調整機構６１Ａを解除状態から規制状態に切り換える。このタイマ時間が適宜設定されることで、領域Ａ１，Ａ２のそれぞれのプリーツ２０１の粗密度（遮光率）、及び領域Ａ１，Ａ２の面積比が設定される。この結果、農業用ハウス１は、タイマ時間を適宜設定することで、外殻１０内への日射量を所望の状態に調整することができる。タイマ時間は、予め決められた固定の時間長さ、または温度センサ５１、湿度センサ５２、照度センサ５３の各測定結果に基づいてコントローラ５０が求めた可変の時間長さに設定される。
【００７６】
また、作業者がバー６０ｄの回転操作を手動で行ってもよい。
【００７７】
さらに、農業用ハウス１は、複数の遮光調整機構６１Ａを開閉方向Ｘ３に沿って間隔を空けて配置してもよい。２つ以上の遮光調整機構６１Ａを規制状態とすることによって、２つ以上のバー６０ｄが第１カーテン２１にそれぞれ当接する。この場合、２つ以上のバー６０ｄによって閉方向Ｘ３１への移動が規制される第１カーテン２１の部位（所定部位）は２か所以上になる。この結果、農業用ハウス１は、第１カーテン２１に３つ以上の領域を形成することができる。そして、２つ以上の遮光調整機構６１Ａを解除状態から規制状態に切り換えるそれぞれのタイミングを適宜設定することで、３つ以上の領域の遮光率がそれぞれ調整される。
【００７８】
また、農業用ハウス１は、全閉状態の第２カーテン２２による遮光率を調整するために、遮光調整機構６１Ａと同様の遮光調整機構をさらに備える。
【００７９】
また、遮光調整機構は、金属ワイヤーまたは樹脂ワイヤーなどの柔軟な材質の規制部材を用いて、ワイヤーがカーテン２０の所定部位に当たることで、規制状態を作り出してもよい。
【００８０】
次に、農業用ハウス１の第２変形例について説明する。第２変形例の農業用ハウス１では、遮光調整機構の構成が上述の遮光調整機構６１，６２と異なる。
【００８１】
図８は、第２変形例の遮光調整機構６１Ｂを示す。遮光調整機構６１Ｂは、ガイドロープ２３２の上方に配置されている。具体的に、複数のガイドロープ２３２のうち、外殻１０の第１方向Ｘ１の両端にそれぞれ設けられている２つのガイドロープ２３２の上方に、遮光調整機構６１Ｂがそれぞれ配置されている。遮光調整機構６１Ｂは、基部６０ｅと、ローラ止め６０ｆ（規制部材）とを備える。基部６０ｅは、開閉方向Ｘ３に沿って延設された棒体であり、ローラ止め６０ｆは、基部６０ｅの任意の位置で基部６０ｅに固定されるように構成されている。すなわち、作業者は、基部６０ｅの所望の位置にローラ止め６０ｆを取り付けることができ、季節、時刻、天気などの１つ以上に応じてローラ止め６０ｆの固定位置を切り換えることができる。
【００８２】
ローラ止め６０ｆの基端（一端）は基部６０ｅに取り付けられ、ローラ止め６０ｆの先端（他端）は逆Ｙ字形状に形成されている。そして、基部６０ｅが上下方向に移動可能に構成されることで、遮光調整機構６１Ｂは、ローラ止め６０ｆによってローラ２３１ａの移動が規制されない解除状態と、ローラ止め６０ｆによってローラ２３１ａの移動が規制される規制状態とを切り換えることができる。遮光調整機構６１Ｂは、作業者の操作によって基部６０ｅの上下位置を切り替える。
【００８３】
あるいは、遮光調整機構６１Ｂは、基部６０ｅの駆動のために、例えばモータ、電磁ソレノイド、またはエアシリンダなどを有する駆動機構を備えてもよい。この場合、コントローラ５０が、温度センサ５１、湿度センサ５２、照度センサ５３の各測定結果に基づいて駆動機構を制御して、基部６０ｅの上下位置を切り替える。
【００８４】
解除状態の遮光調整機構６１Ｂは、基部６０ｅが上方に位置しており、ローラ止め６０ｆの先端はガイドロープ２３２から上方に離れて位置している。遮光調整機構６１Ｂが解除状態である場合、図２Ｂに示すように、全閉状態の第１カーテン２１の各プリーツ２０１の広がりは均一になる。
【００８５】
一方、規制状態では、基部６０ｅが解除状態の位置より下方に移動しており、ローラ止め６０ｆの逆Ｙ字形状の先端はガイドロープ２３２を挟んでいる。遮光調整機構６１Ｂが規制状態である場合、図８に示すように、ローラ止め６０ｆより固定端２１ａ側のローラ２３１ａは、ローラ止め６０ｆに当たることによって閉方向Ｘ３１への移動が規制される。一方、ローラ止め６０ｆより移動端２１ｂ側のローラ２３１ａは、閉方向Ｘ３１への移動が可能である。したがって、遮光調整機構６１Ｂが規制状態である場合、全閉状態の第１カーテン２１は、係止バー６０ａより固定端２１ａ側の領域Ａ１と係止バー６０ａより移動端２１ｂ側の領域Ａ２とが形成される。そこで、ローラ止め６０ｆの固定位置を調整することによって、領域Ａ１，Ａ２の各遮光率を所望の状態に調整することができる。
【００８６】
この結果、農業用ハウス１は、遮光調整機構６１Ｂのローラ止め６０ｆの固定位置、遮光調整機構６１Ｂの状態（規制状態、解除状態）によって、全閉状態の第１カーテン２１による遮光率を調整できる。
【００８７】
さらに、農業用ハウス１は、複数の遮光調整機構６１Ｂを備えてもよい。複数の遮光調整機構６１Ｂのそれぞれのローラ止め６０ｆの位置は、開閉方向Ｘ３において互いに異なる。この場合、２つ以上の遮光調整機構６１Ｂを規制状態とすることによって、２つ以上のローラ止め６０ｆによって閉方向Ｘ３１への移動が規制される第１カーテン２１の部位（所定部位）は２か所以上になる。この結果、農業用ハウス１は、第１カーテン２１に３つ以上の領域を形成することができる。
【００８８】
また、農業用ハウス１は、全閉状態の第２カーテン２２による遮光率を調整するために、遮光調整機構６１Ｂと同様の遮光調整機構をさらに備える。
【００８９】
次に、農業用ハウス１の第３変形例について説明する。第３変形例の農業用ハウス１では、遮光調整機構の構成が上述の遮光調整機構６１，６２と異なる。
【００９０】
第３変形例の遮光調整機構は、ローラ２３１ａの回転を強制的に停止させるブレーキをローラユニット２３１が備えることで実現される。そして、作業者が複数のローラユニット２３１から対象のローラユニット２３１を選択し、選択したローラユニット２３１のブレーキをオンすることで、第１カーテン２１及び第２カーテン２２に上述の領域Ａ１，Ａ２をそれぞれ形成することができる。
【００９１】
次に、農業用ハウス１の第４変形例について説明する。第４変形例の農業用ハウス１では、支持部材の構成が上述の支持部材２３と異なる。
【００９２】
図９は、第４変形例の支持部材２３Ａを用いた構成例を示す。第１カーテン２１は、移動端２１ｂが開閉方向Ｘ３に移動自在となるように、支持部材２３Ａによって支持されている。支持部材２３Ａは、ガイドロープ２３２と、円環状に形成された吊具２３３（カーテンリング）とを備える。吊具２３３は、プリーツ２０１の谷部毎に取り付けられ、ガイドロープ２３２が吊具２３３の内周側に挿通している。したがって、吊具２３３は、ガイドロープ２３２に沿って摺動しながら開閉方向Ｘ３に移動することができる。この場合、支持部材２３Ａは、支持部材２３に比べて構造の簡略化を図ることが可能になる。なお、この変形例３の構成は、変形例１−３にも適用することができる。
【００９３】
また、上述の実施形態及び変形例１−４において、開閉機構３１，３２はコントローラ５０によって制御されており、第１カーテン２１及び第２カーテン２２の各開閉動作は自動制御されていた。すなわち、第１カーテン２１及び第２カーテン２２を全開状態と全閉状態との間で変形させるために、例えばモータ３０ａなど動力源の駆動力を駆動機構を介して第１カーテン２１及び第２カーテン２２に伝達している。しかし、実施形態及び変形例１−３において、作業者がカーテン２０の開閉動作を手動で行ってもよい。この場合、第１カーテン２１及び第２カーテン２２に接続された紐を作業者が引っ張ることで、第１カーテン２１及び第２カーテン２２を全開状態と全閉状態との間で変形させることができる。
【００９４】
また、上述の実施形態及び変形例１−４において、作業者が遮光調整機構の規制状態、解除状態を手動で切り換える場合、コントローラ５０が、温度センサ５１、湿度センサ５２、照度センサ５３の各測定結果に基づいて切換内容及び切換タイミングを報知してもよい。この場合、コントローラ５０は、遮光調整機構の規制状態または解除状態、及びカーテン２０の全開状態または全閉状態の指示内容を、音声メッセージまたは画面表示によって作業者へ報知する。作業者は、この報知内容に従って各部を操作する。
【００９５】
また、上述の実施形態及び変形例１−４において、支持部材２３，２４のガイドロープ２３２，２４２には、金属ワイヤーまたは樹脂ワイヤーが用いられている。しかし、ガイドロープ２３２，２４２の代わりにアルミ、ステンレス、または鉄などの金属フレーム、あるいは樹脂フレームがガイド部材として用いられてもよい。
【００９６】
また、上述の実施形態及び変形例１−４において、第１カーテン２１及び第２カーテン２２のそれぞれは、曲がりやすくて変形しやすい（柔軟性を有する）シート状に形成されてもよい。この場合、第１カーテン２１及び第２カーテン２２のそれぞれのひだが、プリーツ２０１の代わりになる。第１カーテン２１及び第２カーテン２２のそれぞれのひだは、主に開閉方向Ｘ３，Ｘ４にそれぞれ交差する方向に沿って生じる。
【００９７】
また、第１カーテン２１を、外殻１０内に架設したガイドロープ２３２上に直接載置して、第１カーテン２１がガイドロープ２３２上を擦りながら移動することで、全閉状態と全開状態との間で変形してもよい。また、第２カーテン２２を、外殻１０内に架設したガイドロープ２４２上に直接載置して、第２カーテン２２がガイドロープ２４２上を擦りながら移動することで、全閉状態と全開状態との間で変形してもよい。この場合、第１カーテン２１とガイドロープ２３２との摩擦、及び第２カーテン２２とガイドロープ２４２との摩擦によって、第１カーテン２１及び第２カーテン２２に凸部ができやすくなる。この結果、第１カーテン２１及び第２カーテン２２には、ひだがそれぞれ形成されやすくなり、ひだの粗密度を調整しやすくなる。
【００９８】
また、カーテン２０が全開状態である場合、第１カーテン２１及び第２カーテン２２は屋根１００の頂点の下方付近に寄せられていてもよい。すなわち、全開状態の第１カーテン２１及び第２カーテン２２は、多数のプリーツ２０１が折り畳まれた状態で屋根１００の頂点の下方付近に収束している。
【００９９】
また、カーテンは、第１方向Ｘ１に沿って開閉する構成であってもよい。
【０１００】
また、上述の実施形態及び変形例１−４において、農業用ハウス１は、外殻１０内にミスト発生装置を備えてもよい。ミスト発生装置は、水を微粒子状にしたミストを噴出して気化熱を奪うことにより、植物体の周囲温度を下げる。
【０１０１】
以上のように、実施形態に係る第１の態様の農業用ハウス１は、外殻１０と、カーテン２０（第１カーテン２１、第２カーテン２２）と、支持部材２３，２４と、遮光調整機構６１，６２とを備える。外殻１０は、屋根１００が被覆体１２（透光性の部材）で覆われている。カーテン２０は、屋根１００を通過して外殻１０内に入射した光を遮光する。支持部材２３，２４は、カーテン２０の移動端２１ｂ、２２ｂが開閉方向Ｘ３，Ｘ４に移動自在になるようにカーテン２０を支持する。遮光調整機構６１，６２は、カーテン２０による遮光率を調整する。そして、カーテン２０は、開閉方向Ｘ３，Ｘ４に交差する方向に沿ったひだ（例えばプリーツ２０１）を形成可能である。また、カーテン２０の開閉方向Ｘ３，Ｘ４の全長は、移動端２１ｂ，２２ｂが開閉方向Ｘ３，Ｘ４に沿って移動できる最大移動距離より長い。そして、遮光調整機構６１，６２は、カーテン２０におけるひだの粗密度の分布を、粗密度の分布が互いに異なる複数の状態のいずれかの状態に選択的に設定する。
【０１０２】
上述の農業用ハウス１は、外殻１０内に照射される日射量を１層構造のカーテン２０によって所望の状態に設定することができる。例えば、農業用ハウス１は、光飽和点が高い植物体（トマト、スイカなど）を栽培する場合に、外殻１０内の過度の温度上昇を抑え、かつより多くの外光を外殻１０内に照射することができる。この結果、農業用ハウス１は、植物体の成長を早くでき、さらには栽培された植物体の不具合を少なくすることができる。
【０１０３】
また、実施形態に係る第２の態様の農業用ハウス１では、第１の態様において、カーテン２０が展開される場合に移動端２１ｂ，２２ｂが開閉方向Ｘ３，Ｘ４に沿って移動する方向を閉方向Ｘ３１，Ｘ４１とする。そして、遮光調整機構６１，６２は、カーテン２０の所定部位が閉方向Ｘ３１，Ｘ４１に移動することを規制することで、ひだの粗密度が互いに異なる複数の領域Ａ１，Ａ２をカーテン２０に形成する規制状態と、規制状態を解除した解除状態と、を切替可能に構成されている。
【０１０４】
上述の農業用ハウス１は、規制状態の遮光調整機構６１，６２によって、ひだの粗密度が互いに異なる複数の領域Ａ１，Ａ２をカーテン２０に形成することができる。そこで、農業用ハウス１は、遮光調整機構６１，６２を規制状態または解除状態に切り換えることによって、全閉状態のカーテン２０による遮光率を切り換えることができる。
【０１０５】
また、実施形態に係る第３の態様の農業用ハウス１では、第２の態様において、カーテン２０の所定部位は、閉方向Ｘ３１，Ｘ４１に沿って２か所以上あることが好ましい。
【０１０６】
上述の農業用ハウス１は、カーテン２０に対して、ひだの粗密度が互いに異なる３つ以上の領域を形成することができる。したがって、農業用ハウス１は、全閉状態のカーテン２０による遮光率を小刻みに調整することができる。
【０１０７】
また、実施形態に係る第４の態様の農業用ハウス１では、第２または第３の態様において、遮光調整機構６１，６２は、カーテン２０の所定部位に設けた係止バー６０ａ（第１係止部）と、一定位置に固定されたストッパ６０ｂ（第２係止部）とを備えることが好ましい。そして、移動端２１ｂ，２２ｂが閉方向Ｘ３１，Ｘ４１に移動した場合に、係止バー６０ａがストッパ６０ｂに係止することで規制状態になる。
【０１０８】
上述の農業用ハウス１は、比較的簡便な構成で遮光調整機構を実現できる。
【０１０９】
また、実施形態に係る第５の態様の農業用ハウス１は、第４の態様において、ストッパ６０ｂの固定位置を、開閉方向Ｘ３，Ｘ４に沿って変えることができることが好ましい。
【０１１０】
上述の農業用ハウス１は、ストッパ６０ｂの固定位置によって、全閉状態のカーテン２０による遮光率を容易に調整できる。
【０１１１】
また、実施形態に係る第６の態様の農業用ハウス１では、第２または第３の態様において、遮光調整機構６１，６２は、開閉方向Ｘ３，Ｘ４に交差する方向に延びたバー６０ｄ（規制部材）を備えている。そして、バー６０ｄがカーテン２０の所定部位に当たることで、規制状態になることが好ましい。
【０１１２】
上述の農業用ハウス１は、バー６０ｄが規制状態になるタイミングによって、全閉状態のカーテン２０による遮光率を容易に調整できる。
【０１１３】
また、実施形態に係る第７の態様の農業用ハウス１では、第２または第３の態様において、支持部材２３，２４は、複数のローラ２３１ａ，２４１ａと、ガイドロープ２３２，２４２（ガイド部材）とを備えることが好ましい。複数のローラ２３１ａ，２４１ａは、カーテン２０に設けられて、開閉方向Ｘ３，Ｘ４に対して交差する方向を軸方向として回転する。ガイドロープ２３２，２４２は、開閉方向Ｘ３，Ｘ４に沿って延設されて、複数のローラ２３１ａ，２４１ａのガイドになる。そして、遮光調整機構６１，６２は、複数のローラ２３１ａ，２４１ａのうち、カーテン２０の所定部位に対応するローラ２３１ａ，２４１ａに当たって、当該ローラが閉方向Ｘ３１，Ｘ４１に移動することを規制するローラ止め６０ｆ（規制部材）を有する。
【０１１４】
上述の農業用ハウス１は、ローラ止め６０ｆが当たるローラ２３１ａ，２４１ａの位置によって、全閉状態のカーテン２０による遮光率を容易に調整できる。
【０１１５】
また、実施形態に係る第８の態様の農業用ハウス１では、第２または第３の態様において、支持部材２３，２４は、複数のローラ２３１ａ，２４１ａと、ガイドロープ２３２，２４２（ガイド部材）とを備えることが好ましい。複数のローラ２３１ａ，２４１ａは、カーテン２０に設けられて、開閉方向Ｘ３，Ｘ４に対して交差する方向を軸方向として回転する。ガイドロープ２３２，２４２は、開閉方向Ｘ３，Ｘ４に沿って延設されて、複数のローラ２３１ａ，２４１ａのガイドになる。そして、遮光調整機構６１，６２は、複数のローラ２３１ａ，２４１ａのうち、カーテン２０の所定部位に対応するローラ２３１ａ，２４１ａの回転を停止させることで、規制状態になる。
【０１１６】
上述の農業用ハウス１は、回転を停止させるローラ２３１ａ，２４１ａの位置によって、全閉状態のカーテン２０による遮光率を容易に調整できる。
【０１１７】
また、実施形態に係る第９の態様の農業用ハウス１では、第１乃至第８の態様のいずれか１つにおいて、コントローラ５０をさらに備えることが好ましい。コントローラ５０は、外殻１０内の環境を表す環境情報が入力され、環境情報に基づいてカーテン２０の開閉制御を行う。
【０１１８】
上述の農業用ハウス１では、コントローラ５０が、温度、湿度、照度などの環境情報に基づいて、外殻１０内の温度、湿度、照度などの環境が植物体の育成に適した値となるように、カーテン２０の開閉制御を行う。この結果、農業用ハウス１内において植物体を育成する環境を自動で整えることが可能になる。
【０１１９】
また、実施形態に係る第１０の態様の農業用ハウス１では、第９の態様において、コントローラ５０は、さらに遮光調整機構６１，６２の動作を制御することが好ましい。
【０１２０】
上述の農業用ハウス１では、コントローラ５０が、温度、湿度、照度などの環境情報に基づいて、外殻１０内の温度、湿度、照度などの環境が植物体の育成に適した値となるように、遮光調整機構６１，６２の開閉制御を行う。この結果、農業用ハウス１内において植物体を育成する環境を自動で整えることが可能になる。
【０１２１】
また、上述の実施形態及び変形例は本発明の一例である。このため、本発明は、上述の実施形態及び変形例に限定されることはなく、この実施形態及び変形例以外であっても、本発明に係る技術的思想を逸脱しない範囲であれば、設計等に応じて種々の変更が可能であることは勿論である。
【符号の説明】
【０１２２】
１  農業用ハウス
１０  外殻
１２  被覆体（透光性の部材）
２０  カーテン
２１  第１カーテン
２１ｂ  移動端
２２  第２カーテン
２２ｂ  移動端
２３，２４，２４Ａ  支持部材
５０  コントローラ
６０ａ  係止バー（第１係止部）
６０ｂ  ストッパ（第２係止部）
６０ｄ  バー（規制部材）
６０ｆ  ローラ止め（規制部材）
６１，６１Ａ，６１Ｂ，６２  遮光調整機構
２３１ａ，２４１ａ  ローラ
２３２，２４２  ガイドロープ（ガイド部材）
Ｘ３，Ｘ４  開閉方向
Ｘ３１，Ｘ４１  閉方向
Ａ１，Ａ２  領域
１００  屋根
【図１】
2018198579.tif 000003
【図２】
2018198579.tif 000004
【図３】
2018198579.tif 000005
【図４】
2018198579.tif 000006
【図５】
2018198579.tif 000007
【図６】
2018198579.tif 000008
【図７】
2018198579.tif 000009
【図８】
2018198579.tif 000010
【図９】
2018198579.tif 000011